(57)【特許請求の範囲】
【請求項１】
変速機に連結されて該変速機をシフトするシフトレバーと、前記シフトレバーが挿通する開口部を形成したハウジングを備えたシフトレバー装置に用いられ、前記開口部の縁部と、前記開口部の長手方向両端部から前記ハウジングの裏面に突出して形成された断面Ｌ字形の一対のガイドレール部とにより構成される摺動部に前記開口部を覆って支持され、前記シフトレバーと連動して摺動するカバースライドにおいて、
前記カバースライドには、前記カバースライドの摺動方向に沿って突出形成され、前記摺動部の内面と線状に接触して前記摺動部との接触面積を小さくするガイド部が形成され、前記ガイド部が前記摺動部に支持されることを特徴とするシフトレバー装置用カバースライド。
【請求項２】
前記摺動部は前記カバースライドの長手方向両側端の上下両面を覆い、前記ガイド部は前記カバースライドの上下両面に摺動方向に沿って点設された凸部であることを特徴とする請求項１に記載のシフトレバー装置用カバースライド。
【請求項３】
前記凸部は、摺動方向に沿って線状又は点状に前記摺動部と接触することを特徴とする請求項２に記載のシフトレバー装置用カバースライド。
【請求項４】
前記凸部の摺動方向両端部は、それぞれ鋭角状に形成されていることを特徴とする請求項２又は３に記載のシフトレバー装置用カバースライド。
【発明の詳細な説明】
【０００１】
【発明の属する技術分野】
本発明は、特に、車両の変速機をシフト操作するためのシフトレバー装置に用いられるシフトレバー装置用カバースライドに関する。
【０００２】
【従来の技術】
車両の変速機をシフト操作するためのシフトレバー装置のうち、図１０に示すような自動変速機に用いられるシフトレバー装置５０では、シフトレバー１２を操作することにより変速モード（レンジ）を選択（変更）するようになっている。また、選択された変速モードは、シフトレバー装置５０のハウジング１４に設けられたシフト位置表示用の表示窓１８によって視認（確認）できる。
【０００３】
ここで、通常の場合、表示窓１８には光透過性（透明）の板材５２が取り付けられている。また、ハウジング１４にはガイドレール部２０が形成されており、このガイドレール部２０上にカバースライド５４がスライド可能に配置されている。
【０００４】
また、このカバースライド５４には開口２８が形成されている。そして、この開口２８にシフトレバー１２が挿通されて、カバースライド５４は常にシフトレバー１２に連動し、ガイドレール部２０上を摺動する構成となっている。
【０００５】
また、カバースライド５４には、赤色シール等が貼られたマークピース部３４が一体的に形成されている。マークピース部３４は、表示窓１８の裏面側に所定間隔離間して対向しており、シフトレバー１２と共にカバースライド５４が移動すると、各シフト位置に応じた表示窓１８の直下にマークピース部３４が位置するようになっている。そして、赤色シール等が貼られたマークピース部３４が表示窓１８を介して外部から視認されることにより、シフトレバー１２のシフト位置が表示される構成である。
【０００６】
【発明が解決しようとする課題】
しかし、上記カバースライド上にジュース等の飲料水がこぼれ、これがガイドレール部に進入しそのまま放置されると、飲料水の表面張力でガイドレール部全面に粘性水分が広がり固着してしまう。このため、この状態で、シフトレバーを移動させようとしても、シフトレバーと連動して摺動するカバースライドが摺動しにくくなる不都合がある。
【０００７】
そこで、本発明は、上記問題を解決するため、こぼれた飲料水が固着した場合でもカバースライドの摺動性を確保することができるシフトレバー装置用カバースライドを提供することを課題とする。
【０００８】
【課題を解決するための手段】
請求項１に記載のシフトレバー装置用カバースライドは、変速機に連結されて該変速機をシフトするシフトレバーと、前記シフトレバーが挿通する開口部を形成したハウジングを備えたシフトレバー装置に用いられ、前記開口部の縁部と、前記開口部の長手方向両端部から前記ハウジングの裏面に突出して形成された断面Ｌ字形の一対のガイドレール部とにより構成される摺動部に前記開口部を覆って支持され、前記シフトレバーと連動して摺動するカバースライドにおいて、前記カバースライドには、前記カバースライドの摺動方向に沿って突出形成され、前記摺動部の内面と線状に接触して前記摺動部との接触面積を小さくするガイド部が形成され、前記ガイド部が前記摺動部に支持されることを特徴とする。
【０００９】
この構成によれば、カバースライドは、ハウジングに形成されシフトレバーが挿通する開口部を覆っている。そして、変速機をシフトする時に、カバースライドはシフトレバーと連動する。
【００１０】
ここで、カバースライドには、カバースライドの摺動方向に沿って突出形成され、摺動部の内面と線状に接触して摺動部との接触面積を小さくするガイド部が形成されており、ガイド部が、開口部の縁部と、開口部の長手方向両端部からハウジングの裏面に突出して形成された断面Ｌ字形の一対のガイドレール部とにより構成される摺動部に支持されている。このため、カバースライドと摺動部との接触面積を極力小さくすることができる。
【００１１】
このため、例えば、摺動部内に飲料水が浸入して固着した場合であっても、接触面積が小さい分だけ飲料水による固着力を低下させることができる。また、この固着力が低下することにより、シフト時にガイド部が摺動部との固着面を容易に切断することができるので、カバースライドを摺動させることができる。
【００１２】
請求項２に記載のシフトレバー装置用カバースライドは、摺動部はカバースライドの長手方向両側端の上下両面を覆い、ガイド部はカバースライドの上下両面に摺動方向に沿って点設された凸部であることを特徴とする。
【００１３】
この構成によれば、摺動部はカバースライドの長手方向両側端の上下両面を覆っている。ここで、カバースライドの上下両面には凸部が摺動方向に沿って点設され、この凸部によりカバースライドが支持されるので、例えば、ガイド部が連続して直線状に形成している場合と比して、摺動部との接触面積をさらに小さくすることができ、より容易にカバースライドを摺動させることができる。
【００１４】
請求項３に記載のシフトレバー装置用カバースライドは、凸部は摺動方向に沿って線状又は点状に摺動部と接触することを特徴とする。
【００１５】
この構成によれば、凸部が摺動方向に沿って線状又は点状に摺動部と接触しているので、摺動部との接触面積を極力小さくすることができる。このため、カバースライドの摺動性をさらに向上させることができる。
【００１６】
請求項４に記載のシフトレバー装置用カバースライドは、凸部の摺動方向両端部は、それぞれ鋭角状に形成されていることを特徴とする。
【００１７】
この構成によれば、凸部の摺動方向両端部がそれぞれ鋭角状に形成されているので、摺動時に固着した飲料水から受ける摺動方向の圧力を小さくすることができる。このため、カバースライドをより容易に摺動することができる。
【００２２】
【発明の実施の形態】
以下、添付図面を参照して、本発明の第１実施形態に係るシフトレバー装置用カバースライドが適用されたシフトレバー装置１０の全体構成について説明する。図１には、シフトレバー装置１０の全体構成が一部破断した斜視図である。
【００２３】
シフトレバー装置１０は、シフトレバー１２を備えている。シフトレバー１２は変速機（図示省略）に連結されており、前後に操作して傾斜させることにより、変速機の変速モード（レンジ）を変更することができる。
【００２４】
このシフトレバー１２の基端部付近にはハウジング１４が配置されている。ハウジング１４は、車両前後方向に向けて配置され車両床面に固定されたプレート（図示省略）に固定されている。
【００２５】
また、このハウジング１４には、車両前後方向に長手とされた案内孔１６が形成されている。この案内孔１６にはシフトレバー１２が貫通しており、案内孔１６に沿って前後に移動してシフト操作される。
【００２６】
また、ハウジング１４には、案内孔１６の側方に表示窓１８が設けられている。これらの表示窓１８には、「Ｐ」、「Ｒ」、「Ｎ」、「Ｄ」等のシフトレンジを示す文字が記載されており、後に詳述するシフト位置表示用となっている。
【００２７】
一方、案内孔１６の長手方向両端部からハウジング１４の裏面には断面Ｌ字形の一対のガイドレール部２０が形成されている。このガイドレール部２０は、案内孔１６の長手方向両端部から少し内側から突出して形成されており、ハウジング１４の縁部２３と相まって断面コ字状となっている。そして、縁部２３とガイドレール部２０との間には、カバースライド２４の長手方向両端部がスライド可能に収納されている。
【００２８】
ここで、図２にはカバースライド２４の平面図が示されており、図３にはカバースライド２４の部分側面図が示されている。
【００２９】
図２及び図３に示すように、カバースライド２４は、比較的長い矩形の板状に形成されている。また、カバースライド２４の長手方向両端部には、複数の凸部２６が所定の間隔をもって摺動方向に沿って突出形成されている。また、この凸部２６は、カバースライド２４の上下両面に形成されている。
【００３０】
図５乃至図７に示すように、凸部２６は、全体として半円柱状に形成されている。そして、カバースライド２４の上面側に形成された凸部２６Ａの外周は、ハウジング１４の縁部２３の内面と線状に接触している。一方、カバースライド２４の下面側に形成された凸部２６Ｂの円周は、ガイドレール部２０と線状に接触している。したがって、カバースライド２４は、ハウジング１４の縁部２３とガイドレール部２０との間に、凸部２６によって接触面積を極力小さくした状態で支持されている。
【００３１】
なお、凸部２６のその他の形状として、カバースライド２４の上下両面の凸部を三角柱状に形成して、三角柱の一辺が縁部２３の内面及びガイドレール部２０と線状に接触してもよく、あるいは、凸部を、三角錐、四角錐等の角錐状に形成して、その頂点が縁部２３の内面及びガイドレール部２０と点状に接触してもよい。
【００３２】
また、図２に示すように、カバースライド２４の長手方向中央部には、前記案内孔１６に対応する開口２８が形成されている。この開口２８にシフトレバー１２が貫通し、シフトレバー１２はさらにハウジング１４の案内孔１６を貫通している。このため、シフトレバー１２が案内孔１６に沿って移動すると、これに伴って開口２８の側壁が押圧されることによりカバースライド２４がガイドレール部２０に沿ってシフトレバー１２と共に移動する構成となっている。
【００３３】
また、図２及び図４に示すように、カバースライド２４の開口２８の側方には、一対の脚部３０、３２及びマークピース部３４が一体的に形成されている。
【００３４】
図４に示すように、一対の脚部３０、３２は、カバースライド２４の下面側であって、カバースライド２４の幅方向一端部よりも幅方向内側の位置（すなわち、一方のガイドレール部２０による支持部分よりも内側の位置）から下方に延在し、そのままカバースライド２４の幅方向外側へ向けて延在した後、垂直上方向に向けて一体形成されている。なお、図２に示すように、一対の脚部３０、３２は、互いに所定間隔離間した状態で形成されている。
【００３５】
ここで、一対の脚部３０、３２の各先端部は、連続（連結）して形成されており、さらに、前記脚部３０、３２の先端屈曲部分には、マークピース部３４が連続して一体的に形成されている。このマークピース部３４は薄肉板状で矩形に形成されており、図２に示す如く、一対の脚部３０、３２の対向間隔の幅を持って幅方向外側に向かって形成されている。
【００３６】
このマークピース部３４は、表示窓１８の裏面側に所定間隔離間して対向して位置する。また、マークピース部３４の上面には、赤色シール等が貼り付けられている。したがって、シフトレバー１２と共にカバースライド２４が移動すると、対応するシフト位置までマークピース部３４が移動する。これにより、赤色シール等が貼り付けられたマークピース部３４が表示窓１８を介して外部から視認することができ、シフトレバー１２のシフト位置を確認できる構成である。
【００３７】
次に、本実施形態の作用について説明する。
【００３８】
シフトレバー装置１０のカバースライド２４上にジュース等の飲料水がこぼれると、こぼれた飲料水はその表面張力によりハウジング１４の縁部２３とガイドレール部２０との間の全域に広がってしまう。そして、飲料水をこのまま放置すると、粘性により飲料水が固着しカバースライド２４の移動を困難にしてしまう。
【００３９】
ここで、カバースライド２４は、上述した凸部２６Ａを介してハウジング１４の縁部２３の内面と線状に接触し、かつ凸部２６Ｂを介してガイドレール部２０の上面と線状に接触している。すなわち、カバースライド２４は、ハウジング１４及びガイドレール部２０との接触面積を極力小さくした状態で接触している。このため、カバースライド２４のハウジング１４の縁部２３及びガイドレール部２０に対する摺動面積は小さくなる。
【００４０】
このとき、変速モード（レンジ）を選択（変更）するためにシフトレバー１２を操作すると、飲料水の固着面積が小さくなっているので、カバースライド２４に形成された凸部２６が飲料水の固着力に打ち勝ち固着した飲料水を容易に切断し、カバースライド２４を容易に摺動させることができる。
【００４１】
また、図８にはカバースライド２４の第２実施形態が記載されている。
【００４２】
すなわち、本実施形態のカバースライド３５に形成された凸部３６は、その摺動方向（図８の矢印Ａ方向）両端が鋭角状に形成されている。このように、摺動方向両端を鋭角状に形成することにより、カバースライド２４の摺動時に、固着した飲料水からの圧力を極力小さくすることができ、さらに、容易にカバースライド２４を摺動させることができる。なお、図８では、カバースライド３５の上面に形成された凸部３６しか表されていないが、下面にも同様に凸部が形成されている。
【００４３】
なお、カバースライド２４とハウジング１４の縁部２３及びスライドレール部２０との接触面積が小さくなれば、上記各実施形態と相違した構成、例えば、図９に示すように、凸部２７をハウジングの縁部３３及びガイドレール部３７にカバースライド２９の摺動方向に沿って形成し、この凸部２７間にカバースライド２９を支持してもよい。また、同様に、凸部２７は、点設されていてもよく、直線状（レール状）に形成されていてもよい。
【００４４】
【発明の効果】
本発明のシフトレバー装置用カバースライド及びその支持構造によれば、飲料水が固着した場合においても、凸部により固着面を容易に切断することができ、カバースライドを容易に摺動させることができる。
【図面の簡単な説明】
【図１】本発明の第１実施形態に係るシフトレバー装置用カバースライドを適用したシフトレバー装置の全体構成の一部破断した斜視図である。
【図２】本発明の第１実施形態に係るシフトレバー装置用カバースライドの平面図である。
【図３】本発明の第１実施形態に係るシフトレバー装置用カバースライドの側面図である。
【図４】本発明の第１実施形態に係るシフトレバー装置用カバースライドの断面図である。
【図５】本発明の第１実施形態に係るシフトレバー装置用カバースライドがハウジングに装着された状態を示す一部拡大された斜視図である。
【図６】本発明の第１実施形態に係るシフトレバー装置用カバースライドがハウジングに装着された状態を示す一部拡大された縦断面図である。
【図７】本発明の第１実施形態に係るシフトレバー装置用カバースライドがハウジングに装着された状態を示す一部拡大された横断面図である。
【図８】本発明の第２実施形態に係るシフトレバー装置用カバースライドの一部拡大された斜視図である。
【図９】本発明のシフトレバー装置用カバースライドの支持構造の一例を示した断面図である。
【図１０】従来技術のシフトレバー装置用カバースライドを適用したシフトレバー装置の全体構成の一部破断した斜視図である。
【符号の説明】
１０        シフトレバー装置
１２        シフトレバー
１４        ハウジング
１６        案内孔（開口部）
２０、３７  ガイドレール部（摺動部）
２３、３３  縁部（摺動部）
２４、２９、３５  カバースライド
２６、２７、３６  凸部（ガイド部）
【図１】
0003848019.tif 000002
【図２】
0003848019.tif 000003
【図３】
0003848019.tif 000004
【図４】
0003848019.tif 000005
【図５】
0003848019.tif 000006
【図６】
0003848019.tif 000007
【図７】
0003848019.tif 000008
【図８】
0003848019.tif 000009
【図９】
0003848019.tif 000010
【図１０】
0003848019.tif 000011